【手続補正書】
【提出日】平成22年10月13日(2010.10.13)
【手続補正１】
【補正対象書類名】特許請求の範囲
【補正対象項目名】全文
【補正方法】変更
【補正の内容】
【特許請求の範囲】
【請求項１】
（ａ）潤滑粘度の油、および
（ｂ）式Ｉで表される物質および６〜１２個の炭素原子を有するアルコールの縮合生成物
を含む、内燃機関中での使用に適した低硫黄性、低リン性、低灰性の潤滑剤組成物であって；
【化７】
2010511075.tif 000001
ここで各々のＲは、独立してＨまたはヒドロカルビル基であり、またはここで該Ｒ基は一緒になって環を形成し；そしてここでＲがＨの場合、該縮合生成物は、任意に、アシル化またはホウ素化合物との反応によりさらに官能基化され；
ここで前記潤滑剤組成物は、最大約１．０までの硫酸灰分値、最大約０．０８重量パーセントまでのリン含有量、および最大約０．４重量パーセントまでの硫黄含有量を有する、潤滑剤組成物。
【請求項２】
請求項１に記載の組成物であって、前記アルコールが直鎖、分枝またはそれらの混合物であり、該アルコールが約８個〜約１０個の炭素原子を有する、組成物。
【請求項３】
請求項１に記載の組成物であって、前記縮合生成物（ｂ）が直鎖のＣ８−１０アルキルのタータレートエステルである、組成物。
【請求項４】
請求項１に記載の組成物であって、前記縮合生成物の量が約０．０５〜約５．０重量パーセントである、組成物。
【請求項５】
請求項１に記載の組成物であって、ジアルキルジチオリン酸の金属塩（ｍｅｔａｌ  ｄｉａｌｋｙｌｄｉｔｈｉｏｐｈｏｓｐｈａｔｅ）をさらに含み、該ジアルキルジチオリン酸の金属塩がジアルキルジチオリン酸亜鉛であり、その該アルキル基の少なくとも約５０パーセントが第二級アルキル基である、組成物。
【請求項６】
請求項１に記載の組成物であって、分散剤をさらに含み、該分散剤がコハク酸イミドである、組成物。
【請求項７】
請求項１に記載の組成物であって、少なくとも１つのカルシウムオーバーベースド界面活性剤をさらに含み、該カルシウムオーバーベースド界面活性剤がスルホン酸カルシウム、石炭酸カルシウム、サリチル酸カルシウム、カルシウムサリキサレートおよびそれらの混合物からなる群より選択される、組成物。
【請求項８】
請求項１に記載の組成物であって、少なくとも１つの抗酸化剤をさらに含み、該抗酸化剤がヒンダードフェノール、アリールアミンおよびそれらの混合物からなる群より選択される、組成物。
【請求項９】
請求項１に記載の組成物であって、（ｂ）以外の追加の摩擦調整剤をさらに含み、該追加の摩擦調整剤がグリセロールモノオレアート、オレイルアミド、脂肪族ジエタノールアミンおよびそれらの混合物からなる群より選択される、組成物。
【請求項１０】
請求項１に記載の組成物であって、消泡剤をさらに含む、組成物。
【請求項１１】
潤滑粘度の油、ならびに式Ｉで表される物質および６〜１２個の炭素原子を有するアルコールの縮合生成物を前記エンジンに供給することを含む、内燃機関を潤滑にする方法であって；
【化８】
2010511075.tif 000002
ここで該生成物中で各々のＲは、独立してＨまたはヒドロカルビル基であり、またはここで該Ｒ基は一緒になって環を形成し；あるいはここでＲがＨの場合、生じるヒドロキシル基は、アシル化またはホウ素化合物との反応によりさらに官能基化され；
ここで前記潤滑剤組成物は、最大約１．０までの硫酸灰分値、最大約０．０８重量パーセントまでのリン含有量、および最大約０．４重量パーセントまでの硫黄含有量を有する、方法。
【請求項１２】
潤滑剤組成物を調製する方法であって、
（ａ）潤滑粘度の油、ならびに式Ｉで表される物質および６〜１２個の炭素原子を有するアルコールの縮合生成物の混合する工程であって、
【化９】
2010511075.tif 000003
ここで該生成物中で各々のＲは、独立してＨまたはヒドロカルビル基であり、またはここで該Ｒ基は一緒になって環を形成し；あるいはここでＲがＨの場合、生じるヒドロキシル基は、アシル化またはホウ素化合物との反応によりさらに官能基化される工程；
潤滑剤組成物中で生じる工程であって、ここで前記潤滑剤組成物は、最大約１．０までの硫酸灰分値、最大約０．０８重量パーセントまでのリン含有量、および最大約０．４重量パーセントまでの硫黄含有量を有する工程、を含む、方法。
【手続補正２】
【補正対象書類名】明細書
【補正対象項目名】０００９
【補正方法】変更
【補正の内容】
【０００９】
本発明は、さらにこの潤滑剤組成物をエンジンへ供給することを含む、内燃機関を潤滑にする方法を提供する。
本発明は、例えば、以下を提供する：
（項目１）
（ａ）潤滑粘度の油、および
（ｂ）式Ｉで表される物質および６〜１２個の炭素原子を有するアルコールの縮合生成物
を含む、内燃機関中での使用に適した低硫黄性、低リン性、低灰性の潤滑剤組成物であって；
【化７】
2010511075.tif 000004
ここで各々のＲは、独立してＨまたはヒドロカルビル基であり、またはここで該Ｒ基は一緒になって環を形成し；そしてここでＲがＨの場合、該縮合生成物は、任意に、アシル化またはホウ素化合物との反応によりさらに官能基化され；
ここで上記潤滑剤組成物は、最大約１．０までの硫酸灰分値、最大約０．０８重量パーセントまでのリン含有量、および最大約０．４重量パーセントまでの硫黄含有量を有する、潤滑剤組成物。
（項目２）
項目１に記載の組成物であって、上記アルコールが直鎖、分枝またはそれらの混合物である、組成物。
（項目３）
項目１に記載の組成物であって、上記アルコールが約８個〜約１０個の炭素原子を有する、組成物。
（項目４）
項目１に記載の組成物であって、上記縮合生成物（ｂ）が直鎖のＣ８−１０アルキルのタータレートエステルである、組成物。
（項目５）
項目１に記載の組成物であって、上記縮合生成物の量が約０．０５〜約５．０重量パーセントである、組成物。
（項目６）
項目５に記載の組成物であって、縮合生成物の上記量が約０．１〜約２．０重量パーセントである、組成物。
（項目７）
項目６に記載の組成物であって、縮合生成物の上記量が約０．２５〜約１．２５重量パーセントである、組成物。
（項目８）
項目１に記載の組成物であって、ジアルキルジチオリン酸の金属塩（ｍｅｔａｌ  ｄｉａｌｋｙｌｄｉｔｈｉｏｐｈｏｓｐｈａｔｅ）をさらに含む、組成物。
（項目９）
項目１に記載の組成物であって、上記ジアルキルジチオリン酸の金属塩がジアルキルジチオリン酸亜鉛であり、その該アルキル基の少なくとも約５０パーセントが第二級アルキル基である、組成物。
（項目１０）
項目１に記載の組成物であって、分散剤をさらに含む、組成物。
（項目１１）
項目１０に記載の組成物であって、上記分散剤がコハク酸イミドである、組成物。
（項目１２）
項目１に記載の組成物であって、少なくとも１つのカルシウムオーバーベースド界面活性剤をさらに含む、組成物。
（項目１３）
項目１２に記載の組成物であって、上記カルシウムオーバーベースド界面活性剤がスルホン酸カルシウム、石炭酸カルシウム、サリチル酸カルシウム、カルシウムサリキサレートおよびそれらの混合物からなる群より選択される、組成物。
（項目１４）
項目１に記載の組成物であって、少なくとも１つの抗酸化剤をさらに含む、組成物。
（項目１５）
項目１４に記載の組成物であって、上記抗酸化剤がヒンダードフェノール、アリールアミンおよびそれらの混合物からなる群より選択される、組成物。
（項目１６）
項目１に記載の組成物であって、（ｂ）以外の追加の摩擦調整剤をさらに含む、組成物。
（項目１７）
項目１６に記載の組成物であって、上記追加の摩擦調整剤がグリセロールモノオレアート、オレイルアミド、脂肪族ジエタノールアミンおよびそれらの混合物からなる群より選択される、組成物。
（項目１８）
項目１に記載の組成物であって、消泡剤をさらに含む、組成物。
（項目１９）
潤滑粘度の油、ならびに式Ｉで表される物質および６〜１２個の炭素原子を有するアルコールの縮合生成物を上記エンジンに供給することを含む、内燃機関を潤滑にする方法であって；
【化８】
2010511075.tif 000005
ここで該生成物中で各々のＲは、独立してＨまたはヒドロカルビル基であり、またはここで該Ｒ基は一緒になって環を形成し；あるいはここでＲがＨの場合、生じるヒドロキシル基は、アシル化またはホウ素化合物との反応によりさらに官能基化され；
ここで上記潤滑剤組成物は、最大約１．０までの硫酸灰分値、最大約０．０８重量パーセントまでのリン含有量、および最大約０．４重量パーセントまでの硫黄含有量を有する、方法。
（項目２０）
潤滑剤組成物を調製する方法であって、
（ａ）潤滑粘度の油、ならびに式Ｉで表される物質および６〜１２個の炭素原子を有するアルコールの縮合生成物の混合する工程であって、
【化９】
2010511075.tif 000006
ここで該生成物中で各々のＲは、独立してＨまたはヒドロカルビル基であり、またはここで該Ｒ基は一緒になって環を形成し；あるいはここでＲがＨの場合、生じるヒドロキシル基は、アシル化またはホウ素化合物との反応によりさらに官能基化される工程；
潤滑剤組成物中で生じる工程であって、ここで上記潤滑剤組成物は、最大約１．０までの硫酸灰分値、最大約０．０８重量パーセントまでのリン含有量、および最大約０．４重量パーセントまでの硫黄含有量を有する工程、を含む、方法。